(57)【要約】【課題】住まいの自由な設計が可能となる接合部材を提供する。【解決手段】接合部材１は、部材３１に固定される第１の面１１と、第１の面１１に垂直であり、部材５１が有するスリット５２に挿入される第２の面２１とを備えている。接合部材１の第１の面１１を、部材３１に固定する固定部材４１〜４４は、部材３１を介して部材５１の反対側に接合される部材７１が有するスリットに挿入される他の接合部材１０１を固定する固定部材９１と干渉しないように長手方向が互いに異なる線上にあって、第２の面２１は、他の接合部材１０１が備える第２の面１１１と同一平面上に存在する。【選択図】図４
2014152454.tif 000002
【特許請求の範囲】
【請求項１】
第１の部材に、第２の部材を接合する接合部材において、
前記第１の部材に固定される第１の面と、
前記第１の面に垂直であり前記第２の部材が有するスリットに挿入される第２の面と、
を有し、
前記第１の面を前記第１の部材に固定する固定部材は、前記第１の部材を介して前記第２の部材の反対側に接合された第３の部材が有するスリットに挿入される他の接合部材を固定する固定部材と干渉しないように長手方向が互いに異なる線上にあって、
前記第２の面は、前記他の接合部材が備える第２の面と同一平面上に存在する、
ことを特徴とする接合部材。
【請求項２】
前記第２の部材を前記第１の部材に接合する当該接合部材と、前記第３の部材を前記第１の部材に接合する当該接合部材とは、同じ形状であることを特徴とする請求項１記載の接合部材。
【請求項３】
前記第２の部材と前記第３の部材は、前記第１の部材に対し、段違いに接合されることを特徴とする請求項１記載の接合部材。
【請求項４】
当該接合部材は、Ｔ字状であることを特徴とする請求項１記載の接合部材。
【請求項５】
当該接合部材は、Ｌ字状であることを特徴とする請求項１記載の接合部材。
【請求項６】
第１の面と、前記第１の面に垂直な第２の面とを有する接合部材を用いて、第１の部材に第２の部材と第３の部材とを接合する際、
前記第１の面を前記第１の部材に固定する固定部材が干渉しないようにその長手方向を異なる線上に存在させ、
前記第２の部材と前記第３の部材とのそれぞれが有するスリットに挿入される前記第２の面を同一平面上に存在させる、
ことを特徴とする建築構造。
【発明の詳細な説明】
【技術分野】
【０００１】
本件は、部材を接合する接合部材に関する。
【背景技術】
【０００２】
従来は現場で木を切り削り加工してつないでいたものが、近年は工場で機械により削るようになり、最近では、加工形状をシンプルにして削る加工を減らし、単純な機械で切ったり穴を開けたりした加工をした木材を、例えば、特許文献１，２で記載される接合金具を介して接合するようになってきた。
【先行技術文献】
【特許文献】
【０００３】
【特許文献１】実開平６−８３８０３号公報
【特許文献２】特開２０００−１０４３３９号公報
【発明の概要】
【発明が解決しようとする課題】
【０００４】
ところで近年、部屋の条件やプランにより、住まいの自由な設計が望まれている。
例えば、フロアや天井などの高さを自由に設計できる、新しい時代の住まい設計が望まれている。
本件はこのような点に鑑みてなされたものであり、住まいの自由な設計が可能となる接合部材および建築構造を提供することを目的とする。
【課題を解決するための手段】
【０００５】
上記課題を解決するために、第１の部材に、第２の部材を接合する接合部材が提供される。この接合部材は、前記第１の部材に固定される第１の面と、前記第１の面に垂直であり前記第２の部材が有するスリットに挿入される第２の面と、を有し、前記第１の面を前記第１の部材に固定する固定部材は、前記第１の部材を介して前記第２の部材の反対側に接合された第３の部材が有するスリットに挿入される他の接合部材を固定する固定部材と干渉しないように長手方向が互いに異なる線上にあって、前記第２の面は、前記他の接合部材が備える第２の面と同一平面上に存在する。
【発明の効果】
【０００６】
住まいの自由な設計が可能となる。
【図面の簡単な説明】
【０００７】
【図１】第１の実施の形態に係る接合部の斜視図である。
【図２】接合部材の部材への取り付けを説明する図である。
【図３】接合部材による部材と部材との接合を説明する図である。
【図４】部材を２方差した横断面図である。
【図５】部材を２方差した縦断面図である。
【図６】接合部材を用いた建築構造例を示した図のその１である。
【図７】接合部材を用いた建築構造例を示した図のその２である。
【図８】接合部材を用いた建築構造例を示した図のその３である。
【図９】接合部材を用いた建築構造例を示した図のその４である。
【図１０】接合部材を用いた建築構造例を示した図のその５である。
【図１１】接合部材を用いた建築構造例を示した図のその６である。
【図１２】第２の実施の形態に係る接合部材の斜視図である。
【図１３】第３の実施の形態に係る接合部材の斜視図である。
【図１４】部材を２方差した横断面図である。
【図１５】部材を２方差した縦断面図である。
【発明を実施するための形態】
【０００８】
以下、実施の形態を、図面を参照して詳細に説明する。
［第１の実施の形態］
【０００９】
図１は、第１の実施の形態に係る接合部材の斜視図である。図１に示すように、接合部材１は、Ｔ字状の形状を有している。Ｔ字状の接合部材１は、例えば、金属または樹脂によって一体成型される。
【００１０】
接合部材１は、四角形状の第１の面１１および第２の面２１を有している。第２の面２１は、第１の面１１の中央線部分から、垂直に伸びるように形成されている。
【００１１】
第１の面１１は、複数の穴１２ａ〜１２ｄおよび穴１３ａ〜１３ｄを有している。穴１２ａ〜１２ｄおよび穴１３ａ〜１３ｄは、第１の面１１から、第２の面２１が伸びている部分を境にして、線対称となるように設けられている。
【００１２】
例えば、図１の場合、穴１２ａ〜１２ｄは、第１の面１１から、第２の面２１が伸びている部分を境にして、左側に設けられている。穴１３ａ〜１３ｄは、第１の面１１から、第２の面が伸びている部分を境にして右側に設けられている。なお、第１の面１１に設けられた穴１２ａ〜１２ｄ，１３ａ〜１３ｄの数は、８個となっているが、これに限るものではない。
【００１３】
第２の面２１は、後術するピンを支持する支持穴２２ａ，２２ｂを有している。支持穴２２ａは、第２の面２１の上辺部で開口するＣ字状の形状を有している。支持穴２２ｂは、円形状を有している。なお、第２の面２１に設けられた支持穴２２ａ，２２ｂの数は、２個となっているが、これに限るものではない。
【００１４】
図２は、接合部材の部材への取り付けを説明する図である。図２には、部材３１、固定部材４１〜４４、および図１に示した接合部材１が示してある。図２において、図１と同じものには同じ符号が付してある。
【００１５】
部材３１は、例えば、柱、梁、または横架材である。部材３１は、図２に示すように、凹部３２を有している。凹部３２には、接合部材１の第１の面１１が嵌入される。凹部３２は、例えば、プレカット加工により形成される。
【００１６】
固定部材４１〜４４は、接合部材１を部材３１に固定する部材である。固定部材４１，４２は、例えば、ボルトであり、固定部材４３，４４は、例えば、ナットである。
【００１７】
図示していないが、部材３１には、固定部材４１，４２が貫通する穴が設けられている。固定部材４１，４２は、部材３１に設けられた穴を通り、凹部３２に嵌入された接合部材１の穴１３ｂ，１３ｃを通る。
【００１８】
また、図示していないが、部材３１には、固定部材４１，４２の頭部が嵌入する座ぐりが形成されている。図示していない穴および座ぐりは、例えば、プレカット加工によって形成される。
【００１９】
部材３１に形成された図示しない穴および接合部材１の穴１３ｂ，１３ｃを貫通した固定部材４１，４２は、固定部材４３，４４によって締結される。これにより、接合部材１は、部材３１に固定される。
【００２０】
なお、固定部材４３，４４は、部材３１の凹部３２の窪み内に収まっている。すなわち、固定部材４３，４４は、接合部材１が取り付けられている部材３１の面から、突出しないようになっている。
【００２１】
また、以下で説明する２方差を行わない場合は、接合部材１の穴１２ｂ，１２ｃにも固定部材４１，４２を通し、固定部材４３，４４で固定するようにしてもよい。また、接合部材１の穴１２ａ，１２ｄ，１３ａ，１３ｄに固定部材４１，４２を通し、固定部材４３，４４で固定するようにしてもよい。
【００２２】
図３は、接合部材による部材と部材との接合を説明する図である。図３には、部材５１、ピン６１，６２、図１、図２に示した接合部材１、および図２に示した部材３１が示してある。図３において、図１、図２と同じものには同じ符号が付してある。
部材５１は、例えば、柱、梁、または横架材である。部材５１は、スリット５２および穴５３，５４を有している。
部材５１のスリット５２は、接合部材１の第２の面２１に挿入される。スリット５２は、例えば、プレカット加工によって形成される。
【００２３】
部材５１の穴５３，５４には、ピン６１，６２が通される。ピン６１，６２は、例えば、金属で形成されたピンである。穴５３，５４は、例えば、プレカット加工によって形成される。
【００２４】
部材３１と部材５１を接合するには、部材５１のスリット５２を、部材３１に固定された接合部材１の第２の面２１に挿入する。このとき、部材５１の穴５３と、接合部材１の支持穴２２ａの位置が一致するように、部材５１のスリット５２を、接合部材１の第２の面２１に挿入する。また、部材５１の穴５４と、接合部材１の支持穴２２ｂの位置が一致するように、部材５１のスリット５２を、接合部材１の第２の面２１に挿入する。そして、部材５１の穴５３と、接合部材１の支持穴２２ａとにピン６１を通し、また、部材５１の穴５４と、接合部材１の支持穴２２ｂとにピン６２を通すと、部材５１は、部材３１に固定される。このようにして、部材３１と部材５１は、接合部材１によって接合される。
２方差について説明する。
【００２５】
図４は、部材を２方差した横断面図である。図４には、図１〜図３で説明した接合部材１および部材３１，５１が示してある。また、部材３１に接合された部材７１が示してある。図４において、図１〜図３と同じものには同じ符号が付してある。
【００２６】
なお、図３に示した部材３１は、接合部材１が取り付けられる面とは反対の面において、座ぐりが設けられているとしたが、図４では、以下で説明するように、凹部が設けられている。
【００２７】
部材３１は、図４に示すように、接合部材１が取り付けられている面とは反対の面において、凹部３３が設けられている。部材３１の凹部３３には、接合部材１０１が取り付けられている。
【００２８】
接合部材１０１は、第１の面１１１および第２の面１２１ａを有し、接合部材１と同様の形状を有している。接合部材１０１の第１の面１１１は、図示していないが、接合部材１の第１の面１１に設けられた穴１２ａ〜１２ｄ，１３ａ〜１３ｄと同様の穴を有している。接合部材１０１の第２の面１２１ａは、図示していないが、接合部材１の第２の面２１に設けられた支持穴２２ａ，２２ｂと同様の支持穴を有している。
【００２９】
接合部材１０１は、接合部材１の穴１２ｂ（図４では図示していない）を通る固定部材９１，９２によって固定される。また、接合部材１０１は、接合部材１の穴１２ｃ（図４では図示していない）を通る、固定部材によって固定される。これらの固定部材は、固定部材４１〜４４と同様の形状を有している。
接合部材１，１０１は、第１の面１１，１１１が対向し、第２の面２１，１２１ａが同一平面上にあるように、部材３１に接合される。
【００３０】
部材７１は、部材５１と同様のスリットを有している。部材７１のスリットは、接合部材１０１の第２の面１２１ａに挿入される。部材７１は、例えば、柱、梁、横架材である。
【００３１】
部材３１と部材７１を接合するには、部材７１のスリットを、接合部材１０１の第２の面１２１ａに挿入する。このとき、第２の面１２１ａに設けられた２つの支持穴と、部材７１に設けられた２つの穴の位置が一致するように、部材７１のスリットを接合部材１０１の第２の面１２１ａに挿入する。そして、部材７１に設けられた２つの穴と、第２の面１２１ａに設けられた２つの支持穴とに、ピン１３１ａと図示していないピンを通すことによって、部材７１は、部材３１に接合される。
【００３２】
図５は、部材を２方差した縦断面図である。図５において、図１〜図４と同じものには同じ符号が付してある。図５に示すように、部材３１は、対向する面において、凹部３２，３３が設けられている。凹部３２には、接合部材１が取り付けられ、凹部３３には、接合部材１０１が取り付けられている。
【００３３】
接合部材１０１は、固定部材４１，４２によって、部材３１に固定されている。また、接合部材１０１は、図５に示す第２の面２１，１２１ａの向こう側にある、図示していない第１の面１１１に設けられた穴を通る固定部材によって、部材３１に固定されている。
【００３４】
部材７１のスリットは、接合部材１０１の第２の面１２１ａに挿入され、部材７１は、ピン１３１ａ，１３２によって支持される。これにより、部材７１は、部材３１に接合される。なお、ピン１３１ａ，１３２は、ピン６１，６２と同様の形状を有している。
接合部材１を用いた建築構造例について説明する。
【００３５】
図６は、接合部材を用いた建築構造例を示した図のその１である。図６には、図１〜３で説明した接合部材１、固定部材４１〜４４、およびピン６１，６２によって、部材１２１〜１２５を接合した縦断面図が示してある。図６において、図１〜図３と同じものには同じ符号が付してある。
【００３６】
部材１２１〜１２５は、例えば、梁、柱、または横架材である。部材１２２，１２３は、接合部材１によって、部材１２１に対し２方差され、部材１２４，１２５は、接合部材１によって、部材１２１に対し２方差されている。
【００３７】
図６に示すように、同一形状の接合部材１、固定部材４１〜４４、およびピン６１，６２を用いて、部材１２２〜１２５の構造を２重構造にすることにより、例えば、床下や天井に収納スペースを容易に形成することができる。例えば、部材１２２と部材１２４とによって形成される空間を、収納スペースにすることができる。また、部材１２３と部材１２５とによって形成される空間を、収納スペースにすることができる。
【００３８】
また、図６に示すように、同一形状の接合部材１、固定部材４１〜４４、およびピン６１，６２を用いて、部材１２２〜１２５の構造を２重構造にすることにより、遮音効果を高めたり、断熱効果を高めたりすることができる。
【００３９】
なお、図６では、部材１２１の対向する２つの面に部材１２２〜１２５を接合したが、片側の面にのみ部材を接合してもよい。例えば、図６において、部材１２１に対し、部材１２２と部材１２４のみを接合するようにしてもよい。または、部材１２１に対し、部材１２３と部材１２５のみを接合するようにしてもよい。
【００４０】
図７は、接合部材を用いた建築構造例を示した図のその２である。図７には、図１〜３で説明した接合部材１、固定部材４１〜４４、およびピン６１，６２によって、部材１３１〜１３３を接合した縦断面図が示してある。
部材１３１〜１３３は、例えば、梁、柱、または横架材である。部材１３２，１３３は、接合部材１によって、部材１３１に対し２方差されている。
【００４１】
図７に示すように、同一形状の接合部材１、固定部材４１〜４４、およびピン６１，６２を用いて、例えば、部材１３１〜１３３の下側の面において、面を合わせるように建築構造を形成することができる。これにより、例えば、逆スラブ構造を容易に形成することができる。
【００４２】
図８は、接合部材を用いた建築構造例を示した図のその３である。図８には、図１〜３で説明した接合部材１、固定部材４１〜４４、およびピン６１，６２によって、部材１４１〜１４３を接合した縦断面図が示してある。
部材１４１〜１４３は、例えば、梁、柱、または横架材である。部材１４２，１４３は、部材１４１に対し、異なる高さに接合されている。
【００４３】
図８に示すように、同一形状の接合部材１、固定部材４１〜４４、およびピン６１，６２を用いて、例えば、ステップフロアを容易に形成することができる。具体的には、モダンな空間の床よりも、床が一段上がった落着きのある和室を形成することができる。
【００４４】
図９は、接合部材を用いた建築構造例を示した図のその４である。図９には、図１〜３で説明した接合部材１、固定部材４１〜４４、およびピン６１，６２によって、部材１５１〜１５５を接合した縦断面図が示してある。
【００４５】
部材１５１〜１５５は、例えば、梁、柱、または横架材である。部材１５２，１５３は、部材１５１に対し、異なる高さに接合されている。部材１５４，１５５は、部材１５１に対し、同じ高さ（２方差）に接合されている。
【００４６】
図９に示すように、同一形状の接合部材１、固定部材４１〜４４、およびピン６１，６２を用いて、様々な高さで梁、柱、または横架材を接合することができる。
【００４７】
図１０は、接合部材を用いた建築構造例を示した図のその５である。図１０には、図１〜３で説明した接合部材１、固定部材４１〜４４、およびピン６１，６２によって、部材１５７，１５８ａ，１５８ｂ，１５９ａ，１５９ｂを接合した縦断面図が示してある。
部材１５８ａ，１５８ｂは、例えば、天井面を形成している。図１０に示すような接合構造にすることにより、天井面の高さを最大限に確保することができる。
【００４８】
図１１は、接合部材を用いた建築構造例を示した図のその６である。図１１の（Ａ），（Ｂ）には部屋の中が示してある。部屋には、テレビ１６２が置かれている。
図１１の（Ａ）では、メインフロア１６１が設置されている。すなわち、部屋のフロアの高さは、同じとなっている。
【００４９】
図１１の（Ｂ）では、メインフロア１６１が取り除かれ、サブフロア１６３が現れている。サブフロア１６３は、他のフロア部分より、１段低くなっている。サブフロア１６３には、テーブル１６４が置かれている。
【００５０】
接合部材１を用いれば、図６〜図９に示したように、様々な高さで梁、柱、または横架材を接合することができる。これにより、例えば、部屋の中に、図１１に示すような、色々な空間を提供することができる。また、サブフロア１６３により、床面積を有効活用することができる。
【００５１】
このように、接合部材１は、部材３１に固定される第１の面１１と、第１の面１１に垂直であり、部材５１が有するスリット５２に挿入される第２の面２１とを備えている。そして、接合部材１の第１の面１１を、部材３１に固定する固定部材４１〜４４は、部材３１を介して部材５１の反対側に接合される部材７１が有するスリットに挿入される他の接合部材１０１を固定する固定部材９１と干渉しないように長手方向が互いに異なる線上にあって、第２の面２１は、他の接合部材１０１が備える第２の面１１１と同一平面上に存在するようにした。これにより、横架材やフロアの高さを自由に設計することができ、住まいの自由な設計が可能となる。
【００５２】
例えば、接合部材１による、部材の２方差が容易となり、図６〜図９に示した建築構造を容易に形成でき、横架材やフロアの高さを自由に設計することができる。具体的には、接合部材の形状がＵ字の場合、専用工具や専用固定部材が必要であるが、接合部材１では、専用工具や専用固定部材を用いなくても２方差が可能である。
【００５３】
また、部材を接合しようとするユーザは、同一形状の接合部材１、固定部材４１〜４４、およびピン６１，６２によって、建築物を建築することができる。例えば、ユーザは、複数の形状の接合部材１、固定部材４１〜４４、およびピン６１，６２を用いることなく建築物を建築することができる。これにより、ユーザは、部品管理が容易となる。
【００５４】
また、長い間使われる建物であるからこそ、土地の有効活用をするために、土地の大小や変形または狭い広い、道路付けや採光などの条件から、住む人、使う人にとって便利で有効な設計をする必要がある。これに対し、本件では、建物を高さ方向の空間をより有効にいかすために、上階や下階の用途に応じて、床組みのレベルを自由に設計したり、最上階では天井をより高く設計するために、梁のレベルを自由に設計したりすることができる。
【００５５】
また、受け梁の側面にボルトやビス、ラグスクリューなどで側面に相対する金物と干渉せずに留めつけられた金物は、側面の相互に依存せず自由に高さを設計することができる。
【００５６】
なお、上記では、固定部材４１〜４４，９１，９２は、例えば、ボルトとナットとしたが、ラグスクリューボルト、ビス、頭つなぎダボ、ドリフトピン、グルードインロッド、または釘であってもよい。また、ピン６１，６２，１３１ａ，１３２は、例えば、ボルト、ラグスクリューボルト、ビス、ダボ、ドリフトピン、グルードインロッド、またはドリリング・タッピング・スクリュー（ＤＴＳＷ）であってもよい。
［第２の実施の形態］
次に、第２の実施の形態を、図面を参照して詳細に説明する。第２の実施の形態では、第１の実施の形態で示したＴ字状の接合部材１の変形例を示している。
【００５７】
図１２は、第２の実施の形態に係る接合部材の斜視図である。図１２に示すように、接合部材２０１は、Ｔ字状の形状を有している。Ｔ字状の接合部材２０１は、例えば、金属または樹脂によって一体成型されている。
【００５８】
接合部材２０１は、四角形状の第１の面２１１、第２の面２２１、および第３の面２３１を有している。第１の面２１１および第２の面２２１は、同一平面内に存在するように形成されるとともに、第１の面２１１は、ある直線上（以下、直線Ｌと呼ぶ）から、ある方向に向かって伸びるように形成され、第２の面２２１は、直線Ｌ上から、第１の面２１１が伸びる方向とは逆の方向に向かって伸びるように形成されている。
【００５９】
第１の面２１１は、穴２１２ａ，２１２ｂを有している。第２の面２２１は、穴２２２ａ，２２２ｂを有している。なお、穴２１２ａ，２１２ｂおよび穴２２２ａ，２２２ｂは、第１の面２１１および第２の面２２１のそれぞれにおいて２個ずつとなっているが、これに限るものではない。
【００６０】
第３の面２３１は、第１の面２１１および第２の面２２１と垂直となるように、直線Ｌ上から伸びるように形成されている。第３の面２３１は、支持穴２３２ａ〜２３２ｆを有している。支持穴２３２ａは、第３の面２３１の上辺部で開口するＣ字状の形状を有している。支持穴２３２ｂ〜２３２ｆは、閉じた穴となっている。支持穴２３２ａ〜２３２ｆは、７個形成されているが（第２の面２２１に隠れた支持穴を合計すると８個）、これに限るものではない。
【００６１】
接合部材２０１の他部材への接合は、第１の実施の形態で説明した固定部材４１〜４４を用いる。例えば、接合部材２０１の穴２１２ａ，２１２ｂ，２２２ａ，２２２ｂの少なくとも１つに、固定部材を通し、接合部材２０１を部材に固定する。そして、部材と部材とを接合するには、スリットを有したもう一方の部材のスリットを、第３の面２３１に通し、ピン６１，６２で支持する。
【００６２】
接合部材２０１は、部材の２方差が可能である。接合部材２０１を部材に対向して固定しても、固定部材が干渉しないからである。また、接合部材２０１は、図６〜図１１に示した建築構造例を形成することができる。
【００６３】
このように、第１の面２１１および第２の面２２１を、同一平面内に存在するように形成するとともに、直線Ｌ上からそれぞれ反対方向に伸びるように形成するようにした。これにより、接合部材２０１は、第１の実施の形態と同様の効果を得ることができる。
［第３の実施の形態］
次に、第３の実施の形態を、図面を参照して詳細に説明する。第３の実施の形態では、接合部材がＬ字状の形状を有している。
【００６４】
図１３は、第３の実施の形態に係る接合部材の斜視図である。図１３に示すように、接合部材２４１は、第１の面２５１および第２の面２６１を有し、Ｌ字状の形状を有している。Ｌ字状の接合部材２４１は、例えば、金属または樹脂によって一体成型されている。
第１の面２５１は、複数の穴２５２ａ〜２５２ｄを有している。穴２５２ａ〜２５２ｄの数は、４個となっているが、これに限るものではない。
【００６５】
第２の面２６１は、第１の面２５１のある一辺から、第１の面２５１と垂直となるように伸びている。第２の面２６１は、支持穴２６２ａ，２６２ｂを有し、支持穴２６２ａは、第２の面２６１の上辺部で開口するＣ字状の形状を有している。支持穴２６２ｂは、円形状を有し、閉じた穴となっている。第２の面２６１に設けられた支持穴２６２ａ，２６２ｂの数は、２個となっているが、これに限るものではない。
【００６６】
図１４は、部材を２方差した横断面図である。図１４には、部材３０１〜３０３、固定部材３１１〜３１４、ピン３５１，３５２、および図１３で説明した接合部材２４１が示してある。また、接合部材２４１と同様の形状を有した接合部材４０１が示してある。図１４において、図１３と同じものには同じ符号が付してある。
【００６７】
部材３０１は、図１４に示すように、凹部３０１ａ，３０１ｂを有している。凹部３０１ａには、接合部材２４１の第１の面２５１が取り付けられ、凹部３０１ｂには、接合部材４０１の第１の面４０２が取り付けられている。部材３０１は、例えば、柱、梁、横架材である。
【００６８】
接合部材２４１は、接合部材２４１の穴２５２ｂを通る固定部材３１１と、固定部材３１２とによって固定される。また、接合部材２４１は、接合部材２４１の穴２５２ｃを通る、図示していない固定部材によって固定される。これらの固定部材は、例えば、第１の実施の形態で説明した固定部材４１〜４４と同様の形状を有している。
【００６９】
部材３０２は、スリットを有し、そのスリットは、接合部材２４１の第２の面２６１に挿入されている。部材３０２のスリットが、接合部材２４１の第２の面２６１に挿入されると、第２の面２６１に設けられた２つの支持穴２６２ａ，２６２ｂと、部材３０２に設けられた２つの穴の位置が一致する。この穴に、ピン３５１と図示しないもう一つのピンを通すことによって、部材３０２は、部材３０１に接合される。部材３０２は、例えば、柱、梁、横架材である。
【００７０】
接合部材４０１は、第１の面４０２および第２の面４０３を有し、接合部材２４１と同様の形状を有している。接合部材４０１の第１の面４０２は、接合部材２４１の第１の面２５１に設けられた穴２５２ａ〜２５２ｄと同様の穴を有している。また、接合部材４０１の第２の面４０３は、接合部材２４１の第２の面２６１に設けられた支持穴２６２ａ，２６２ｂと同様の支持穴を有している。
【００７１】
接合部材４０１は、第２の面４０３が接合部材２４１の第２の面２６１と同一平面上にあり、第１の面４０２が接合部材２４１の第１の面２５１と対向しないように、凹部３０１ｂに取り付けられる。
【００７２】
部材３０３は、スリットを有し、そのスリットは、接合部材４０１の第２の面４０３に挿入されている。部材３０３のスリットが、接合部材４０１の第２の面４０３に挿入されると、第２の面４０３に設けられた２つの支持穴と、部材３０３に設けられた２つの穴の位置が一致する。この穴に、ピン３５２と図示しないもう一つのピンを通すことによって、部材３０３は、部材３０１に接合される。部材３０３は、例えば、柱、梁、横架材である。
図１５は、部材を２方差した縦断面図である。図１５において、図１３、図１４と同じものには同じ符号が付してある。
【００７３】
接合部材２４１は、第１の面２５１に設けられた穴を通った固定部材３１１によって固定されている。部材３０２のスリットは、接合部材２４１の第２の面２６１に通され、部材３０２は、ピン３５１，３５３によって支持される。これにより、部材３０２は、部材３０１に接合される。
部材３０３も接合部材２４１および部材３０２と同様に、ピン３５２，２５４によって支持される。これにより、部材３０３は、部材３０１に接合される。
このように、Ｌ字状の接合部材２４１においても、第１の実施の形態と同様の効果を得ることができる。
【００７４】
なお、本件は、上述した実施の形態に限定されるわけではなく、その他種々の変更が可能である。例えば、固定部材を通す穴によっては、３方差、４方差が可能である。また、本件に、他の任意の構成物や工程が付加されていてもよい。
【符号の説明】
【００７５】
１  接合部材
１１  第１の面
１２ａ〜１２ｄ，１３ａ〜１３ｄ  穴
２１  第２の面
２２ａ，２２ｂ  支持穴
【図１】
2014152454.tif 000003
【図２】
2014152454.tif 000004
【図３】
2014152454.tif 000005
【図４】
2014152454.tif 000006
【図５】
2014152454.tif 000007
【図６】
2014152454.tif 000008
【図７】
2014152454.tif 000009
【図８】
2014152454.tif 000010
【図９】
2014152454.tif 000011
【図１０】
2014152454.tif 000012
【図１１】
2014152454.tif 000013
【図１２】
2014152454.tif 000014
【図１３】
2014152454.tif 000015
【図１４】
2014152454.tif 000016
【図１５】
2014152454.tif 000017